(57)【要約】【課題】視覚障がい者等が電子機器から得られる情報を点字で知ることができる技術を提供する。【解決手段】テレビ本体１は、放送信号を受信して選局を行い、所定番組を表示するとともに、選局した放送信号から文字データを分離して変調し、変調した文字データを文字データ送信部１５２からリモコン２に送信する。リモコン２は、テレビ本体１から送信された文字データを受信し、復調した後に文字データを点字データに変換する。リモコン２は、点字データに基づいて点字表示制御部２４に点字を表示する。【選択図】図１
2012119854.tif 000002
【特許請求の範囲】
【請求項１】
操作対象機器を遠隔操作する遠隔操作装置であって、
点字の各点に対応する複数の点字点部と、
前記操作対象機器から送信された所定の送信データを点字データに変換する送信データ変換手段と、
変換された前記点字データに基づいて前記所定の送信データに対応する点字を触読可能に前記点字点部を制御する点字制御手段と
を備えたことを特徴とする遠隔操作装置。
【請求項２】
前記複数の点字点部は、圧電体を有する複数の点字ピン部で構成され、
前記点字制御手段は、前記圧電体に電圧を印加することで前記複数の点字ピン部を伸縮させて前記点字を触読可能にする点字ピン伸縮手段と
を備えたことを特徴とする請求項１に記載の遠隔操作装置。
【請求項３】
前記複数の点字点部は、複数の電気刺激部で構成され、
前記点字制御手段は、前記電気刺激部に低周波の電流を流して人体に通電することで前記点字を触読可能にする人体通電手段と
を備えたことを特徴とする請求項１又は請求項２に記載の遠隔操作装置。
【請求項４】
操作対象機器と前記操作対象機器を遠隔操作可能な遠隔操作手段とを備えた遠隔操作システムであって、
前記操作対象機器は、所定の送信データを前記遠隔操作手段に送信するデータ送信手段を備え、
前記遠隔操作手段は、
点字の各点に対応する複数の点字点部と、
前記操作対象機器から送信された前記所定の送信データを点字データに変換する送信データ変換手段と、
変換された前記点字データに基づいて前記所定の送信データに対応する点字を触読可能に前記点字点部を制御する点字制御手段とを備えた
ことを特徴とする遠隔操作システム。
【請求項５】
前記所定の送信データは、前記操作対象機器の状態を示す状態データであることを特徴とする請求項４に記載の遠隔操作システム。
【請求項６】
前記所定の送信データは、前記操作対象機器に外部から入力されるコンテンツに含まれる文字データであることを特徴とする請求項４又は請求項５に記載の遠隔操作システム。
【請求項７】
テレビ本体と前記テレビ本体を遠隔操作可能な遠隔操作手段とを備えたテレビジョン受像機であって、
前記テレビ本体は、
所定の送信データを前記遠隔操作手段に送信するデータ送信手段を備え、
前記遠隔操作手段は、
点字の各点に対応する複数の点字点部と、
送信された前記所定の送信データを点字データに変換する送信データ変換手段と、
変換された前記点字データに基づいて前記所定の送信データに対応する点字を触読可能に前記点字点部を制御する点字制御手段と
を備えたことを特徴とするテレビジョン受像機。
【請求項８】
外部から入力されるコンテンツに含まれる文字データを取得する文字データ取得手段と、
取得された前記文字データを点字データに変換する文字データ変換手段と、
点字の各点に対応する複数の点字点部と、
変換された前記点字データに基づいて前記文字データに対応する点字を触読可能に前記点字点部を制御する点字制御手段と
を備えたことを特徴とする点字制御装置。
【請求項９】
請求項８に記載の点字制御装置を実装したことを特徴とする電子書籍端末。
【発明の詳細な説明】
【技術分野】
【０００１】
本発明は、電子機器から得られる情報を点字に変換して触読可能にする遠隔操作装置、遠隔操作システム、テレビジョン受像機、点字制御装置、及び電子書籍端末に関する。
【背景技術】
【０００２】
従来、視力の不自由な視覚障がい者等に対する情報伝達手段として、横２×縦３の６点の凹凸の組み合わせにより文字情報を構成する点字が用いられている。視覚障がい者等は、この点字を指先で読み取って文字情報を得る。視覚障がい者等の日常生活を補助するため、種々の物に点字が設けられている。
【０００３】
例えば、点字表示部と点字印字部と点字用紙とが設けられたリモートコントローラ（以下、リモコンと呼ぶ）がある（例えば、特許文献１を参照）。特許文献１の技術では、リモコンのキーが押下されたときに、押下されたキーに対応する内容を点字印字部により点字用紙に点字で打刻印字して点字表示部から表示することで、視覚障がい者等によるリモコン操作を補助している。
【先行技術文献】
【特許文献】
【０００４】
【特許文献１】特開２００１−１７７８８３号公報
【発明の概要】
【発明が解決しようとする課題】
【０００５】
しかしながら、特許文献１の技術は、電子機器に対する操作を点字に基づいて行えるようにしたものであり、電子機器から得られる情報を点字で触読可能にすることができない。
【０００６】
そのため、視覚障がい者等は、例えば、テレビジョン放送等に含まれる文字データに基づいて、字幕情報を得たり、放送番組とは独立して文字で放送される交通情報や天気情報等を得たりして、文字情報によるコンテンツを楽しむことができない。
【０００７】
本発明は上記課題に鑑みてなされたものであり、電子機器から得られる情報を点字で触読可能にすることができる技術を提供することを目的とする。
【課題を解決するための手段】
【０００８】
本発明の遠隔操作装置は、操作対象機器を遠隔操作する遠隔操作装置であって、点字の各点に対応する複数の点字点部と、前記操作対象機器から送信された所定の送信データを点字データに変換する送信データ変換手段と、変換された前記点字データに基づいて前記所定の送信データに対応する点字を触読可能に前記点字点部を制御する点字制御手段とを備えたことを特徴とする。
また、前記複数の点字点部は、圧電体を有する複数の点字ピン部で構成され、前記点字制御手段は、前記圧電体に電圧を印加することで前記複数の点字ピン部を伸縮させて前記点字を触読可能にする点字ピン伸縮手段とを備えてもよい。
また、前記複数の点字点部は、複数の電気刺激部で構成され、前記点字制御手段は、前記電気刺激部に低周波の電流を流して人体に通電することで前記点字を触読可能にする人体通電手段とを備えてもよい。
本発明の遠隔操作システムは、操作対象機器と前記操作対象機器を遠隔操作可能な遠隔操作手段とを備えた遠隔操作システムであって、前記操作対象機器は、所定の送信データを前記遠隔操作手段に送信するデータ送信手段を備え、前記遠隔操作手段は、点字の各点に対応する複数の点字点部と、前記操作対象機器から送信された前記所定の送信データを点字データに変換する送信データ変換手段と、変換された前記点字データに基づいて前記所定の送信データに対応する点字を触読可能に前記点字点部を制御する点字制御手段とを備えたことを特徴とする。
また、前記所定の送信データは、前記操作対象機器の状態を示す状態データであってもよい。
また、前記所定の送信データは、前記操作対象機器に外部から入力されるコンテンツに含まれる文字データであってもよい。
本発明のテレビジョン受像機は、テレビ本体と前記テレビ本体を遠隔操作可能な遠隔操作手段とを備えたテレビジョン受像機であって、前記テレビ本体は、所定の送信データを前記遠隔操作手段に送信するデータ送信手段を備え、前記遠隔操作手段は、点字の各点に対応する複数の点字点部と、送信された前記所定の送信データを点字データに変換する送信データ変換手段と、変換された前記点字データに基づいて前記所定の送信データに対応する点字を触読可能に前記点字点部を制御する点字制御手段とを備えたことを特徴とする。
本発明の点字制御装置は、外部から入力されるコンテンツに含まれる文字データを取得する文字データ取得手段と、取得された前記文字データを点字データに変換する文字データ変換手段と、点字の各点に対応する複数の点字点部と、変換された前記点字データに基づいて前記文字データに対応する点字を触読可能に前記点字点部を制御する点字制御手段とを備えたことを特徴とする。
本発明の電子書籍端末は、上記の点字制御装置を実装したことを特徴とする。
【発明の効果】
【０００９】
本発明によれば、ユーザに提供される情報を点字で触読可能にすることができる。
【図面の簡単な説明】
【００１０】
【図１】本発明の実施形態１に係るテレビジョン受像機Ｘの全体構成図である。
【図２】本発明の実施形態１に係るテレビ本体の構成を示す機能ブロック図である。
【図３】本発明の実施形態１に係るリモコンの構成を示す機能ブロック図である。
【図４】本発明の実施形態１に係る点字表示部の上面図である。
【図５】本発明の実施形態１に係る点字ピン部の側面図である。
【図６】本発明の実施形態１に係るテレビジョン受像機Ｘの動作の流れを示すフローチャートである。
【図７】本発明の実施形態１に係るリモコンの別の構成例であり、リモコンの背面の外観図である。
【図８】本発明の実施形態２に係る電子書籍端末Ｙの外観図である。
【図９】本発明の実施形態２に係る電子書籍端末Ｙの構成を示す機能ブロック図である。
【発明を実施するための形態】
【００１１】
＜実施形態１＞
本実施形態は、テレビ本体がテレビジョン放送のコンテンツに含まれる文字データを取得してリモコンに送信し、その文字データをリモコンで点字として触読可能にするよう構成したものである。これにより、視覚障がい者等が番組の文字情報を点字で楽しむことができる。
【００１２】
具体的には、本実施形態によれば、例えば、視覚障がい者等が海外ドラマ等を視聴する際に、音声を外国語で聞き、字幕として表示される母国語を点字で確認することができる。これにより、視覚障がい者等は、健常者と同様に吹き替え版だけでなく字幕版を楽しむことができる。また、本実施形態は、登場人物の動作等の実況解説を行う音声ガイダンス(Audio Description)に対応していない番組であっても、放送信号に含まれる文字データに基づいて、点字による補足情報を視覚障がい者等に伝えることができる。
【００１３】
以下、図を参照して本発明の実施形態を詳細に説明する。なお、以下において、「点字を表示する」とは、何らかの形で点字が表し示されていることを意味し、例えば、後述する点字ピン部２４０や電気刺激部を制御して点字を触読可能にすることをいう。例えば、これには、後述する点字ピン部２４０を伸縮するよう制御することによって、触読だけでなく目でも判別可能な形で点字を表示する場合や、電気刺激部に通電するよう制御することによって、触読だけで目で判別不可能な形で点字を表示する場合を含む。また、上記において「触読」とは、皮膚等の触覚部位を通じて能動的に点字の形を読み取る場合だけでなく、例えば、電気刺激部の通電による触読のように触覚部位を通じて受動的に点字を読み取る場合を含む。
【００１４】
まず、図１を参照して本実施形態の全体構成を説明する。本実施形態のテレビジョン受像機Ｘは、テレビ本体１とリモコン２とを備える。テレビ本体１は、放送信号を受信して所定番組を表示するとともに、受信した放送信号から文字データを分離して、変調した文字データをリモコン２に送信する。リモコン２は、テレビ本体１を遠隔操作するとともに、テレビ本体１から取得した文字データを点字データに変換して、触知できるよう点字で表示する。テレビ本体１とリモコン２とは、赤外線や電波等の無線で接続されている。
【００１５】
図２を参照して具体的にテレビ本体１の構成を説明する。テレビ本体１は、受像処理部１０と点字用処理部１５とを備えている。受像処理部１０は、一般的なテレビ機能を実現するための処理を行うものであり、受信した放送信号に基づいて映像及び音声の出力を行う。点字用処理部１５は、放送信号に含まれる文字データを視覚障がい者等がリモコン２で点字により理解できるように、リモコン２に点字で表示させるために文字データの送信処理を行う。以下、受像処理部１０と点字用処理部１５について順に詳しく説明する。
【００１６】
受像処理部１０は、放送信号受信部１０１とデータ分離部１０２と音声データ処理部１０３と音声出力部１０４と映像データ処理部１０５と映像表示部１０６とＯＳＤ（On-Screen Display）部１０７とを備える。
【００１７】
放送信号受信部１０１は、アンテナや、ネットワークに接続されたケーブル、チューナ等を備え、地上波放送、ケーブル放送、又は衛星放送等の放送媒体から放送信号を受信する。放送信号受信部１０１は、放送信号から所定の番組を選局し、選局した番組の放送信号に対して所定の復調、誤り訂正等を行って、放送信号をデータ分離部１０２に出力する。
【００１８】
データ分離部１０２は、取得した放送信号を映像データと音声データと文字データとに分離する。データ分離部１０２は、分離した音声データを音声データ処理部１０３に出力し、分離した映像データを映像データ処理部１０５に出力し、分離した文字データをＯＳＤ部１０７と点字用処理部１５とに出力する。ここで、文字データとは、放送信号のトランスポートストリームに含まれる字幕や文字スーパー等の文字情報を指す。
【００１９】
音声データ処理部１０３は、取得した音声データに対して音声出力に適した公知の処理を行い、スピーカ等である音声出力部１０４から音声を出力させる。ＯＳＤ部１０７は、取得した文字データを映像に合成するためのＯＳＤ画像を生成して映像データ処理部１０５に出力する。映像データ処理部１０５は、データ分離部１０２から取得した映像データにＯＳＤ部１０７からのＯＳＤ画像を合成する。映像データ処理部１０５は、ＯＳＤ画像が合成された映像データに対し表示出力に適した公知の処理を行って、モニタ等である映像表示部１０６に映像を表示させる。
【００２０】
一方、データ分離部１０２から出力された文字データは、点字用処理部１５にも入力される。点字用処理部１５は、文字データ変調部１５１と文字データ送信部１５２とを備える。文字データ変調部１５１は、データ分離部１０２から取得した文字データを変調して文字データ送信部１５２に出力する。文字データ送信部１５２は、変調された文字データを所定の通信形式でリモコン２に送信する。
【００２１】
図３は、リモコン２の構成を示す機能ブロック図である。リモコン２は、文字データ受信部２１と文字データ復調部２２と点字データ変換部２３と点字表示制御部２４とを備えている。なお、ここでは説明を省略するが、リモコン２は、一般的なリモコンとしての機能、すなわちテレビ本体１に対する遠隔操作が可能に構成されている。
【００２２】
テレビ本体１から送信された文字データは、文字データ受信部２１で受信される。文字データ受信部２１は、受信した文字データを文字データ復調部２２に出力する。文字データ復調部２２は、取得した文字データを復調して点字データ変換部２３に出力する。
【００２３】
点字データ変換部２３は、取得した文字データを点字データに変換して点字表示制御部２４に出力する。点字データ変換部２３は、文字データと点字データとの変換に用いる文字変換表を予め記憶しており、この文字変換表を参照して文字データを点字データに変換する。また、点字データ変換部２３は、文字データが漢字等である場合、予め記憶した仮名文字変換表等により、漢字等を仮名文字に変換してから点字データに変換してもよい。
【００２４】
点字表示制御部２４は、取得した点字データに基づいて点字を触読可能に表示する。図４は、点字表示制御部２４の上面概略図である。点字表示制御部２４は、圧電駆動する点字ピン部２４０と点字ピン部２４０を支持する点字ピン支持部２４５とを有している。
【００２５】
点字ピン部２４０は、点字の各点に対応する。点字ピン部２４０は、点字ピン支持部２４５に横２×縦３の６個単位（１マス）毎に所定の隙間を有しながら並んで配置される。各点字ピン部２４０は、圧電体に通電されることで圧電駆動して伸縮する。図４において、黒丸は、点字ピン部２４０が圧電駆動して伸びたときを示し、白丸は、点字ピン部２４０が圧電駆動して縮んだときを示している。
【００２６】
図５は、点字ピン部２４０の側面を示す概略図である。点字ピン部２４０は、電極２４３と圧電体２４２とピン部２４１とを備える。圧電体２４２には、上部が半球状に形成された棒状のピン部２４１が取り付けられている。また、圧電体２４２は、分極処理されており、電極２４３が形成されている。電極２４３は、圧電体２４２を挟む形で形成されてもよい。点字ピン部２４０は、電極２４３に電圧が印加されると圧電体２４２が伸縮することにより、高さ方向に伸縮する。
【００２７】
点字表示制御部２４は、点字データ変換部２３から取得する点字データに基づいて各点字ピン部２４０に対する電圧印加を制御し、各点字ピン部２４０を伸縮させて凹凸を表現し、点字を表示する。なお、図５において、点字ピン部２４０の黒塗りの上部は、点字ピン部２４０が伸びたときの点字の凸部を示し、点字ピン部２４０の白塗りの上部は、点字ピン部２４０が縮んだときの点字の凹部（点字の突出していない点）を示している。
【００２８】
図４に戻り、点字ピン支持部２４５に配置された所定マス数分に相当する点字ピン部２４０は、リモコン２の筐体に形成された点字表示枠２５０から露出し触読される構成となっている。ここでは、最大５マス分に相当する点字ピン部２４０が点字表示枠２５０から露出されるものとして説明する。各点字ピン部２４０は、点字表示枠２５０から露出するときに点字データに対応する点字となるよう点字表示制御部２４により駆動制御される。この際、点字表示制御部２４は、スクロールするように点字を表示してもよい。また、この所定マス数分の点字ピン部２４０を山なりに配置して、点字表示制御部２４に手を置いたときに指を当てやすくし、各指で点字を識別できるように配置してもよい。また、点字ピン部２４０による点字は、点字表示枠２５から複数行にわたって露出してもよい。なお、点字ピン部２４０は、１マス分だけであってもよく、この場合、１マス分ずつ点字が更新されればよい。
【００２９】
次に、図６を参照して、テレビ受像機Ｘが、受信した番組の文字情報を点字表示する動作の流れを説明する。
【００３０】
まず、テレビ本体１の放送信号受信部１０１が放送信号を受信して番組データを取得する（ステップＳ１０）。テレビ本体１のデータ分離部１０２は、番組データから文字データを取得する（ステップＳ１１）。テレビ本体１の文字データ送信部１５２は、文字データ変調部１５１によって変調された文字データをリモコン２に送信する（ステップＳ１２）。リモコン２の文字データ受信部２１によって受信された文字データは、リモコン２の文字データ復調部２２で復調される（ステップＳ１３）。リモコン２の点字変換部２３は、復調された文字データを点字データに変換する（ステップＳ１４）。リモコン２の点字表示制御部２４は、点字データに基づいて点字を表示する（ステップＳ１５）。以上により、本処理は終了する。
【００３１】
このように、本実施形態は、テレビ本体１が取得する文字データをリモコン２に送信し、その文字データをリモコン２で点字として表示できる。そのため、視覚障がい者等が番組の文字情報を楽しむことができる。また、本実施形態は、ユーザが常に手元に置いて随時操作を行うリモコン２にテレビ本体１からの文字データに基づく点字を表示するので、表示される点字の内容に応じてすぐにテレビ本体１に対する操作ができ、操作性がよい。また、リモコン２は、点字ピン部２４０により点字を表示するので、点字を印字するための紙等を不要にできる。
【００３２】
なお、本実施形態では、放送信号に含まれる文字データを抽出する構成としたが、映像表示部１０６に表示される画像に対して公知の文字認識処理を行って、文字データを抽出してもよい。また、テレビ本体１は、放送信号に含まれるＥＰＧ（Electronic Program Guide）の文字データを取得してリモコン２に送信し、点字で表示させてもよい。
【００３３】
また、本実施形態は、テレビ本体１に点字データ変換部２３と点字表示制御部２４とを設け、データ分離部１０２で分離された文字データをテレビ本体１に設けられた点字データ変換部２３で点字データに変換し、テレビ本体１の点字表示制御部２４で点字表示するように構成されてもよい。また、本実施形態は、リモコン２ではなくテレビ本体１に点字データ変換部２３を設け、文字データを点字データに変換してからリモコン２に送信するように構成されてもよい。
【００３４】
また、本実施形態は、ユーザが好みに応じて点字略字（縮字）を登録できる略字登録部をリモコン２に備えてもよい。点字略字は、所定の言葉のかたまり（所定の文字列）を省略して点字で触読可能にするものであり、点字のマス数を減らすことができる。略字登録部は、ユーザによって設定された文字列と略字との対応を、例えば文字列と略字とを対応させた略字表に記憶する。点字データ変換部２３は、文字データを変換する際に、略字表に記憶されている文字については対応する略字に変換し、略字表に登録されていない文字については文字変換表に記憶されている点字に変換して、点字表示制御部２４に表示させるようにしてもよい。なお、略字表には、予め所定の言葉のかたまりに対応する略字が記憶されていてもよい。
【００３５】
また、テレビ本体１は、放送信号に含まれる文字データだけでなく、種々の情報をリモコン２に送信して点字で表示させてもよい。
【００３６】
例えば、テレビ本体１は、外部記録媒体に記録されたコンテンツに含まれる文字データを抽出してリモコン２に送信し、リモコン２で点字表示させてもよい。これによれば、視覚障がい者等は、例えば、ブルーレイディスク等の光ディスクやＨＤＤ(Hard disk drive)等の磁気ディスク、ＳＤカード等のフラッシュメモリに記録された映画や番組、動画等のコンテンツをテレビ本体１に読み込ませることで、リモコン２を介してそのコンテンツの文字データを点字で楽しむことができる。
【００３７】
また、テレビ本体１は、電源がＯＮされた場合に、最後（前回電源をＯＦＦする直前）に選局していたチャンネル（ラストチャンネル）や、最後に行った入力種別であるラスト入力（例えば、ＢＳやＣＳ、地上デジタル等の放送種別や、ＤＶＤ（Digital Versatile Disc）等の外部記録媒体のいずれの入力種別であるか等）を示す通知信号をリモコン２に送信してもよい。この場合、リモコン２は、通知信号変換表を参照し、テレビ本体１から受信した通知信号に基づいて、ラストチャンネルやラスト入力を点字で表示する。
【００３８】
また、テレビ本体１は、所定の情報を収集する収集部と、収集された情報を記憶するメモリとをさらに備えてもよい。この場合、テレビ本体１は、電源がＯＮされた場合に、このメモリに記憶された被収集情報をリモコン２に送信し、点字で表示させてもよい。例えば、収集部は、テレビ本体１がスタンバイ状態である場合に、予め定められた文字列を含む文字データが放送信号やネットワーク経由の情報に存在するときに、その文字データをメモリに記憶させる。これによれば、視覚障がい者等は、テレビ本体１が電源ＯＮしたときに、テレビ本体１がスタンバイ状態であったときに収集された情報をリモコン２で点字により知ることができる。
【００３９】
例えば、収集部は、放送信号に含まれたり、テレビ本体１に接続されたネットワークを経由したりして、テレビ本体１で受信される災害避難情報や緊急情報等を収集し、メモリに記憶させてもよい。また、収集部は、予めユーザにより設定された特定情報やキーワード等に対応する情報を収集して、メモリに記憶させてもよい。また、収集部は、テレビ本体１の電源がＯＮであるときにこれらの情報の収集を行い、メモリに記憶させてもよい。この場合、テレビ本体は、所定時間毎や所定のタイミングでメモリに記憶された情報をリモコン２に送信し、点字で表示させてもよい。
【００４０】
また、テレビ本体１が、２つの入力映像をそれぞれ同時に表示できる２画面表示可能な構成である場合、２つの入力映像に基づくそれぞれの文字データをリモコン２に送信してもよい。この場合、リモコン２の点字表示制御部２４は、点字の表示領域を２分割し、テレビ本体１から送信される２つの映像に基づくそれぞれの文字データを、分割された各点字表示領域で表示する。これによれば、リモコン２は、テレビ本体１から２種類の映像に基づく２種類の文字データを受信し、文字変換表に基づいて２種類の文字データをそれぞれ点字データに変換し、２種類の文字データに対応する点字を同時に表示できる。なお、リモコン２は、テレビ本体１から３つ以上の映像に基づく文字データを受信してもよい。この場合、リモコン２は、点字表示領域を３つ以上に分割し、分割した各点字表示領域でそれぞれの映像に基づく文字データに対応する点字を表示すればよい。また、リモコン２は、点字表示制御部２４を２つ以上備えてもよく、それぞれの点字表示制御部２４で文字データに対応する点字を表示してもよい。
【００４１】
また、テレビ本体１は、公知の音声認識技術により、音声データを文字データに変換し、変換した文字データをリモコン２に送信し点字で表示させてもよい。この場合、テレビ本体１は、上記のように２種類の番組を２画面表示する場合に、一方の番組の音声を音声出力部１０４から出力し、他方の番組の音声を文字データに変換してリモコン２に送信し点字で表示させることができる。これによれば、互いに干渉しあうため実現しにくかった２画面表示における音声の同時出力が、音声と点字という出力形式により互いに干渉させずに容易に実現できる。なお、テレビ本体１は、２画面表示される２種類の音声を共に文字データに変換してリモコン２に送信し、点字で表示させてもよい。
【００４２】
また、テレビ本体１は、テレビ本体１の状態を示す状態データをリモコン２に送信し、テレビ本体１の状態を点字で表示させてもよい。例えば、テレビ本体１は、電源がＯＮされると（テレビ本体１がスタンバイ状態から復帰して電源ＯＮする場合を含む）、選局処理やデコード処理よりも早く、又はそれらの処理と平行して、リモコン２にテレビ本体１の電源がＯＮになったことを示す状態データを送信する。リモコン２は、テレビ本体１から状態データを受信すると、状態データ変換表に基づいて、状態データに対応する点字として、例えば「パワーオン」と表示する。これによれば、高機能化が進んだ近年のテレビでは、電源をＯＮにしても初期処理等に時間が掛かり、すぐに音声が再生されない場合が多いが、視覚障がい者等は、リモコン２によりテレビ本体１の電源がＯＮになったことをすぐに知ることができるので、操作に不安を覚えずに済む。なお、リモコン２は、予め状態データと点字とを対応させた状態データ変換表を有しているものとする。
【００４３】
また、テレビ受像機Ｘは、放送信号等に文字データが含まれていない場合等にも、テレビ本体１の現在の状態をリモコン２に点字で表示させてもよい。例えば、テレビ本体１は、現在選局しているチャンネルや、現在テレビ本体１の画面に映っている入力種別（ＢＳやＣＳ、地上デジタル等の放送種別や、外部記録媒体等のいずれからの入力映像であるか）や、現在の時刻情報や、出力音声レベル等を示す状態データをリモコン２に送信してもよい。リモコン２は、テレビ本体１から受信した状態データに基づいて、状態データ変換表を参照し、現在選局しているチャンネルや現在の入力種別や、現在の時刻情報や、出力音声レベル等を点字で表示する。
【００４４】
また、テレビ本体１は、設定メニュー等が映像表示部１０６に表示されると、表示されている設定メニューを示す状態データをリモコン２に送信してもよい。この場合、リモコン２は、状態データ変換表を参照し、テレビ本体１から送信された状態データに対応する設定メニューについて、点字用の設定メニューや操作手順を点字で表示する。この点字用の設定メニューは、映像表示部１０６に表示される設定メニューとは独立した別のものであってもよい。
【００４５】
例えば、一般的に、視聴者は、テレビを購入した場合、最初にテレビ本体の電源を入れたときに初期設定メニューが表示されるので、この初期設定メニューに基づいて視聴地域や言語等の初期設定を行う必要がある。この場合、テレビ本体１は、購入された直後に電源がＯＮされたときに、表示されている初期設定メニューを示す状態データをリモコン２に送信する。リモコン２は、状態データ変換表を参照し、受信した状態データに基づいて初期設定メニューに対応する点字メニューや操作手順を点字で表示する。これによれば、視覚障がい者等は、リモコン２に点字で表示された点字メニューや操作手順に基づいて、初期設定メニューに対する設定を行うことができる。この場合、リモコン２は、点字メニューや操作手順における説明や質問等を繰り返し点字で表示できるように、操作される毎に点字で繰り返し表示させる繰り返しボタンを備えるとよい。これによれば、視覚障がい者等が、繰り返しボタンを操作することで、説明や質問等を何度も繰り返し確認することができる。
【００４６】
また、本実施形態は、指点字により点字を表示してもよい。指点字は、６点式点字の６点を両手の人差し指、中指及び薬指に割り当てて表現したものである。指点字は、６点が６本の指にそれぞれ割り振られているため、１本の指で点字の凹凸を読み取って６点を判別する手法に比べると、各点の判別が容易であり、情報伝達の正確性及び伝達速度がよい。
【００４７】
図７は、点字データを指点字で表示するように構成されたリモコン３の背面を示した図である。リモコン３がリモコン２と異なる点は、その背面に指点字表示制御部３４が設けられている点である。リモコン３の指点字表示制御部３４以外の構成はリモコン２と同様である。ここでは、指点字表示制御部３４の構成を説明し、リモコン２と同様の構成に同一の符号を付してその説明を省略する。
【００４８】
指点字表示制御部３４は、６つの窪み部３４０と各窪み部３４０に１つずつ設けられた点字ピン部２４０とを備える。窪み部３４０は、リモコン３の背面の両端に３つずつ形成され、リモコン３の内側に窪んだ形状をしている。６つの窪み部３４０は、両手の人差し指、中指及び薬指をあてがうためのものである。各窪み部３４０には、１つずつ点字ピン部２４０が設けられ、各窪み部３４０に触れていると、電圧の印加に伴って点字ピン部２４０が伸びたときにピン部２４１の突出を認識できるように構成される。各窪み部３４０は、ピン部２４１の突出を触知させられるようにゴム等の薄膜状の材料で構成されてもよい。また、各窪み部３４０は、突出したピン部２４１が直接触知されるように、ピン部２４１の突出箇所に貫通孔が形成されてもよい。
【００４９】
このように、指点字表示制御部３４が、文字データを指点字に変換して表示することで、必要となる点字ピン部２４０の数は６つで済む。これにより、指点字表示制御部３４は、コストを低下させることができるとともに、文字情報を分かりやすく伝えることができる。
【００５０】
なお、指点字表示制御部３４は、６つの窪み部３４０と点字ピン部２４０の代わりに、リモコン３と導線等で接続された６つの電気刺激部により構成されてもよい。ここでは、電気刺激部が、点字の各点の凹凸を示す。電気刺激部は、リモコン３から導線等を介して電力供給を受け、人体に低周波のパルス電流を流して「トン」という刺激を与えるものである。電気刺激部は、例えば粘着性を有するパッド等の装着部材に取り付けられており、指点字の配置に合わせて手の甲等に装着される。この場合、指点字表示制御部３４は、点字の凸部を示す電気刺激部に低周波の電流を流して「トン」という刺激を人体に与え、点字の凹部を示す電気刺激部には電流を流さないことで、人体に伝わる刺激を制御して触読可能に指点字を表示する。なお、電気刺激部は、簡易に人体に装着できるように１つの装着部材に複数格納されてもよい。また、上記において、１マスあたりの点字の点の個数及び配置は、横２×縦３に限らず、点字規則に従って適宜設定されればよい。
【００５１】
＜実施形態２＞
本実施形態は、コンテンツとして電子書籍データを読み込み、書籍データに含まれる文字データを点字データに変換して点字で表示するものである。これによれば、視覚障がい者等が簡単に様々な本を点字で読むことができる。以下では、具体的に、書籍データの文字データを点字で表示する電子書籍端末について説明する。なお、本実施形態では、実施形態１と同様の構成については同一の符号を付し、その説明を省略する。
【００５２】
図８は、電子書籍端末Ｙの外観を示す概略図である。電子書籍端末Ｙは、ネットワーク又は記録媒体を介して電子書籍データを読み込む。電子書籍端末Ｙは、読み込んだ電子書籍データに基づく画像を映像表示部１０６に表示し、電子書籍データから取得した文字データを点字表示制御部２４に点字で表示する。なお、以下では、電子書籍データは、電子書籍の文章となるテキストデータ（文字データ）を含んでいるものとする。
【００５３】
図９は、電子書籍端末Ｙの構成を示す機能ブロック図である。電子書籍端末Ｙは、書籍データ取得部４１と文字データ抽出部４２と映像データ処理部１０５と映像表示部１０６と点字データ変換部２３と点字表示制御部２４とを備えている。
【００５４】
書籍データ取得部４１は、ネットワークや記録媒体を介して、電子書籍データを取得し、映像データ処理部１０５と文字データ抽出部４２とに出力する。
【００５５】
映像データ処理部１０５は、取得した電子書籍データに対して表示出力に適した処理を行い、映像表示部１０６に電子書籍データに基づく画像を表示させる。これにより、映像表示部１０６には、文章が表示される。
【００５６】
一方、文字データ抽出部４２は、電子書籍データから文字データを抽出し、点字データ変換部２３に出力する。点字データ変換部２３は、取得した文字データを文字変換表に基づいて点字データに変換して点字表示制御部２４に点字で表示させる。
【００５７】
このように、本実施形態によれば、視覚障がい者等は、簡単に様々な電子書籍を点字で読むことができる。なお、本実施形態においても実施形態１と同様に指点字表示制御部３４を設けてもよい。また、文字データ抽出部４２は、映像表示部１０６に表示される画像に対し、公知の文字認識処理を行って文字データを抽出し、点字データ変換部２３に出力してもよい。
【００５８】
なお、実施形態１及び２において、点字データに基づいて点字を表示するための点字制御手段として、点字表示制御部２４又は指点字表示制御部３４のいずれかが設けられていればよいが、両方を設けてもよい。
【００５９】
本発明は上述した実施の形態に限定されるものではなく、本発明の趣旨を逸脱しない範囲で種々様々に変更が可能であることは言うまでもない。例えば、オーディオ機器や冷蔵庫、照明機器等の電子機器からリモコン２に文字データや状態データ等を送信し、リモコン２で取得した文字データや状態データ等を点字表示する構成としてもよい。これによれば、例えばオーディオ機器が、外部から入力される音楽データに基づいて再生する楽曲の楽曲名や歌手名等を文字データでリモコン２に送信し点字で表示させることができる。また、オーディオ機器が、自身の電源がＯＮになったことや音量等の状態を示す状態データをリモコン２に送信して点字で表示させることができる。
【符号の説明】
【００６０】
１：テレビ本体
２、３：リモコン
１０：受像処理部
１５：点字用処理部
２１：文字データ受信部
２２：文字データ復調部
２３：点字データ変換部
２４：点字表示制御部
３４：指点字表示制御部
４１：書籍データ取得部
４２：文字データ抽出部
１０１：放送信号受信部
１０２：データ分離部
１０３：音声データ処理部
１０４：音声出力部
１０５：映像データ処理部
１０６：映像表示部
１０７：ＯＳＤ部
１５１：文字データ変調部
１５２：文字データ送信部
２４０：点字ピン部
２４１：ピン部
２４２：圧電体
２４３：電極
２４５：点字ピン支持部
２５０：点字表示枠
３４０：窪み部
Ｘ：テレビジョン受像機
Ｙ：電子書籍端末
【図１】
2012119854.tif 000003
【図２】
2012119854.tif 000004
【図３】
2012119854.tif 000005
【図４】
2012119854.tif 000006
【図５】
2012119854.tif 000007
【図６】
2012119854.tif 000008
【図７】
2012119854.tif 000009
【図８】
2012119854.tif 000010
【図９】
2012119854.tif 000011